(57)【要約】【課題】手袋の中に簡単に装着することができる手袋内手指保温用使い捨てカイロを提供する。【解決手段】指先で折り曲げられて指先の爪側と手の平を少なくとも覆う大きさのフィルム１と、フィルム１に手が当てられたときの、少なくとも手の指が接する部分に添着された発熱体２とを有し、フィルム１は、少なくとも親指用発熱体部分２ａと人差し指用発熱体部分２ｂとの間を切り離す切込み３と、指先のずれを防ぐ指先ずれ防止孔４とを備えている。【選択図】図１
2014177726.tif 000002
【特許請求の範囲】
【請求項１】
指先で折り曲げられて指先の爪側と手の平を少なくとも覆う大きさのフィルムと、
前記フィルムに手が当てられたときの、少なくとも手の指が接する部分に添着された発熱体とを有し、
前記フィルムは、少なくとも親指用発熱体部分と人差し指用発熱体部分との間を切り離す切込みと、指先のずれを防ぐ指先ずれ防止孔とを備えたことを特徴とする手袋内手指保温用使い捨てカイロ。
【請求項２】
前記フィルムは、指先で折り曲げられて手の甲と手の平を覆う大きさであり、
前記フィルムの端部には、該フィルムに手が当てられ、指先で折り曲げられたときに、手の甲を覆うフィルム部分と手の平を覆うフィルム部分とを接着する粘着部が設けられていることを特徴とする請求項１に記載の手袋内手指保温用使い捨てカイロ。
【請求項３】
前記フィルムは、指先で折り曲げられて手の爪側と手の平を覆う大きさであり、
前記フィルムの先端部には、該フィルムに手が当てられ、指先で折り曲げられたときに、手の爪側に貼り付く粘着部が設けられていることを特徴とする請求項１に記載の手袋内手指保温用使い捨てカイロ。
【発明の詳細な説明】
【技術分野】
【０００１】
本発明は、寒冷環境で手袋の中に装着する手袋内手指保温用使い捨てカイロに関するものである。
【背景技術】
【０００２】
寒冷地で屋外作業、農作業、バイク、自転車の運転などを行う際に、軍手、ゴム手袋、防寒手袋を使用するが、それでも寒さのために指先がかじかんで、思うように指先を使うことができなくなる。
【０００３】
手袋の中の指先まで温めるために、従来、親指用使い捨てカイロを、手袋の親指の甲側に貼り付け、親指以外の４本の指用の使い捨てカイロを、手袋の４本の指に合うように甲側に貼り付けるものが、提案されている（特許文献１）。
【先行技術文献】
【特許文献】
【０００４】
【特許文献１】特開２００４-２６７５７５号公報
【発明の概要】
【発明が解決しようとする課題】
【０００５】
しかしながら、特許文献１に記載のものは、手袋に使い捨てカイロを貼り付けるのに時間がかかる。また、老齢者、かじかんだ手や不馴れな人には難しい。
【０００６】
（発明の目的）
本発明の目的は、手袋の中に簡単に装着することができる手袋内手指保温用使い捨てカイロを提供することである。
【課題を解決するための手段】
【０００７】
上記目的を達成するために、本発明の手袋内手指保温用使い捨てカイロは、指先で折り曲げられて指先の爪側と手の平を少なくとも覆う大きさのフィルムと、前記フィルムに手が当てられたときの、少なくとも手の指が接する部分に添着された発熱体とを有し、前記フィルムが、少なくとも親指用発熱体部分と人差し指用発熱体部分との間を切り離す切込みと、指先のずれを防ぐ指先ずれ防止孔とを備えたことを特徴とするものである。
【発明の効果】
【０００８】
本発明によれば、使い捨てカイロを手袋の中に簡単に装着することができる。
【図面の簡単な説明】
【０００９】
【図１】本発明の実施例１である手袋内手指保温用使い捨てカイを示す平面図である。
【図２】実施例１によって手を覆った状態を示す斜視図である。
【図３】実施例１を手袋に装着した状態を示す断面図である。
【図４】本発明の実施例２である手袋内手指保温用使い捨てカイを示す平面図である。
【図５】実施例２に手を載せた状態を示す平面図である。
【図６】実施例２を手に貼り付けた状態を示す平面図である。
【発明を実施するための形態】
【００１０】
本発明を実施するための形態は、後述する実施例１および２に記載の通りである。
【実施例１】
【００１１】
図１は本発明の実施例１である手袋内手指保温用使い捨てカイを示す平面図である。
【００１２】
図１において、１は、指先で折り曲げられて手の甲と手の平を覆う大きさのフィルムである。フィルム１は、透明な樹脂製などのもので、手の甲を覆うフィルム部分１ａと手の平を覆うフィルム部分１ｂとを有する。フィルム１に手が当てられたときの、手の指及び掌面部分（手の平の指以外の部分）が接するフィルム部分１ｂには、発熱体２が添着されている。発熱体２は、使い捨てカイロの主体構成物であり、酸化により発熱するものである。本実施例１では、発熱体２は、親指用発熱体部分２ａ、人差し指用発熱体部分２ｂ、中指用発熱体部分２ｃ、薬指用発熱体部分２ｄ、小指用発熱体部分２ｅの５つの部分が小さな間隔をあけて平行に配列されたものである。
【００１３】
前記フィルム１は、５つの各指用発熱体部分２ａ〜２ｅの間を切り離す切込み３と、指先のずれを防ぐ指先ずれ防止孔４とを備えている。また、フィルム１の両端部には、フィルム１に手が当てられ、指先で折り曲げられたときに、手の甲を覆うフィルム部分１ａと手の平を覆うフィルム部分１ｂとを接着する粘着部５が設けられている。なお、親指用発熱体部分２ａから先端部の方向に延在するフィルム部分１ａａは、他の４指に係るフィルム部分とは切込み３により切り離されている。
【００１４】
本実施例１を手袋に装着する様子を図２および図３により説明する。まず、手の平をフィルム部分１ｂに当て、フィルム部分１ａを指先で折り返す。フィルム部分１ａａを手に巻き付けるようにしてその上に４指に係るフィルム部分１ａをかぶせ、手首のところで粘着部５によりフィルム１の両端部を接着する。この状態が図２に示される。このとき、指先は、指先ずれ防止孔４に引っ掛かり、フィルム１に対してずれることがない。次に、図２の状態の手を、手袋６の中に挿入する。この際、フィルム１は手袋６の内面を滑り、スムーズに手袋６の中に挿入される。５つの各指用発熱体部分２ａ〜２ｅは、その間が切込み３により切り離されているので、手の５本の指は、５つの各指用発熱体部分２ａ〜２ｅに接触しながら、簡単に手袋６の各指に挿入される。この状態が図３に示される。
【００１５】
以上のように、フィルム１の滑りやすさを用いて、手に予めはめられた本実施例１の手袋内手指保温用使い捨てカイロを、手とともに手袋６の中に挿入するようにしたので、簡単に装着することができる。そして、５つの各指用発熱体部分２ａ〜２ｅは、手袋６内で酸化により発熱して指及び掌面部分を温めることができる。５つの各指用発熱体部分２ａ〜２ｅの間には間隙があるので、手の小さい人が使用する場合には、その間隙が狭まることにより、５つの各指用発熱体部分２ａ〜２ｅを手指に適切に接触させることができる。
【００１６】
なお、本実施例１は、使用前は酸化を防止する密封包装物により包装されていることは言うまでもない。
【実施例２】
【００１７】
図４は本発明の実施例２である手袋内手指保温用使い捨てカイロを示す平面図である。
【００１８】
実施例２が実施例１と最も異なる点は、フィルムの折り返し部分が小さくなっていること、およびフィルムを手指の皮膚に直接貼り付けることである。
【００１９】
図４において、１１は、指先の爪側と手の平を覆う大きさのフィルムである。フィルム１１は、透明な樹脂製などのもので、指先で爪側に折り曲げられるフィルム部分１１ａと手の平を覆うフィルム部分１１ｂとを有する。フィルム１１に手が当てられたときの、手の指及び掌面部分（手の平の指以外の部分）が接するフィルム部分１１ｂには、発熱体１２が添着されている。発熱体１２は、使い捨てカイロの主体構成物であり、酸化により発熱するものである。本実施例２では、発熱体１２は、親指用発熱体部分１２ａ、人差し指用発熱体部分１２ｂ、中指用発熱体部分１２ｃ、薬指用発熱体部分１２ｄ、小指用発熱体部分１２ｅの５つの部分が小さな間隔をあけて平行に配列されたものである。
【００２０】
前記フィルム１１は、５つの各指用発熱体部分１２ａ〜１２ｅの間を切り離す切込み１３と、指先のずれを防ぐ指先ずれ防止孔１４とを備えている。また、指先で爪側に折り曲げられるフィルム部分１１ａには、指先の爪側に貼り付く粘着部１５が設けられている。また、フィルム部分１１ｂの手首の内側に近いところには、手首の内側に貼り付く粘着部１５が設けられている。
【００２１】
本実施例２を手袋に装着する様子を図５および図６により説明する。まず、手の平をフィルム部分１１ｂに当て、フィルム部分１１ａを指先で爪側に折り返す。このとき、粘着部１５は指先の爪側に貼り付く。また、手首の内側にも粘着部１５が貼り付く。この状態が図６に示される。図６の状態で、指先は、指先ずれ防止孔１４に引っ掛かり、フィルム１１に対してずれることがない。次に、図６の状態の手を、手袋の中に挿入する。この際、フィルム１１は手袋の内面を滑り、スムーズに手袋の中に挿入される。５つの各指用発熱体部分１２ａ〜１２ｅは、その間が切込み１３により切り離されているので、手の５本の指は、５つの各指用発熱体部分１２ａ〜１２ｅに接触しながら、簡単に手袋の各指に挿入される。
【００２２】
以上のように、フィルム１１の滑りやすさを用いて、手に予め貼り付けられた本実施例２の手袋内手指保温用使い捨てカイロを、手とともに手袋の中に挿入するようにしたので、簡単に装着することができる。そして、５つの各指用発熱体部分１２ａ〜１２ｅは、手袋内で酸化により発熱して指及び掌面部分を温めることができる。５つの各指用発熱体部分１２ａ〜１２ｅの間には間隙があるので、手の小さい人が使用する場合には、その間隙が狭まることにより、５つの各指用発熱体部分１２ａ〜１２ｅを手指に適切に接触させることができる。
【００２３】
なお、本実施例２は、使用前は酸化を防止する密封包装物により包装されていることは言うまでもない。
【００２４】
（変形例）
上記実施例１および２では、５つの各指用発熱体部分２ａ〜２ｅ、１２ａ〜１２ｅを設けて、指及び掌面部分を温めるようにしているが、指のみを温める長さのものであってもよい。また、実施例１において、手の甲を覆うフィルム部分１ａにも各指発熱体部分を添着するようにしてもよい。さらに、人差し指と中指の指先の感触が必要である場合のために、人差し指用発熱体部分２ｂ、１２ｂおよび中指用発熱体部分２ｃ、１２ｃの指先に当たる部分を取り除くようにしてもよい。
【００２５】
上記実施例１および２は、５本指の手袋用であるが、２本指の手袋用の場合には、切込み３、１３は、親指用発熱体部分２ａ、１２ａと人差し指用発熱体部分２ｂ、１２ｂとの間のみにあればよい。
【００２６】
上記実施例１および２では、指先ずれ防止孔４、１４は丸孔であるが、切込み状の孔であってもよい。
【符号の説明】
【００２７】
１、１１    フィルム
２、１２    発熱体
３、１３    切込み
４、１４    指先ずれ防止孔
５、１５    粘着部
６          手袋
【図１】
2014177726.tif 000003
【図２】
2014177726.tif 000004
【図３】
2014177726.tif 000005
【図４】
2014177726.tif 000006
【図５】
2014177726.tif 000007
【図６】
2014177726.tif 000008